(57)【要約】 【課題】  保持力を高めしかも安価に製造可能なダミー栓を提供する。【解決手段】  ダミー栓２０は、両端部になだらかな山形のリップ２４が設けられるとともに、中央部に一対の掛止リップ３０が設けられる。両掛止リップ３０は、頂面３１が自然状態で平面状をなすように形成され、また対向した側面が急勾配の切り立った面３２に形成される。ダミー栓２０がキャビティ１１の入口１２内に挿入されると、各リップ２４，３０が弾発力で入口１２の内周面に密着してシールが取られる。掛止リップ３０では、頂面３１における切り立った面３２側の端縁によって、いわゆるエッジ４０が形成された状態となる。そのため、内圧が上昇した場合には、両端のリップ２４による摩擦抵抗に加え、特に奥側の掛止リップ３０のエッジ４０が入口１２の内周面に引っ掛かるように機能し、ダミー栓２０がキャビティ１２の外へ抜け出ることが防止される。【選択図】  図３
2005294147.tif 000002
【特許請求の範囲】
【請求項１】
防水コネクタのハウジングに形成されたキャビティのうちの端子金具が収容されないキャビティ内に挿入されて、そのキャビティを水密にシールするために用いる弾性材料からなるダミー栓であって、
栓本体の外周面には前記キャビティの内周面に密着可能な環形のリップが形成され、このリップの頂面が自然状態においてほぼ平面状をなすように形成されるとともに、このリップにおける前記キャビティの外方を向いた側面が急勾配の切り立った面に形成されていることを特徴とする防水コネクタ用ダミー栓。
【請求項２】
前記平面状の頂面と前記切り立った側面とを設けた一対の前記リップが、軸線方向における対称形状で設けられていることを特徴とする請求項１記載の防水コネクタ用ダミー栓。
【請求項３】
前記栓本体の外周面には、幅広の平面状をなす頂面を有する突条が形成され、この頂面における幅方向の中央部に、底が鋭角をなす溝が切られることで、前記一対のリップが形成されていることを特徴とする請求項２記載の防水コネクタ用ダミー栓。
【発明の詳細な説明】
【技術分野】
【０００１】
本発明は、個室防水形式の防水コネクタに用いるダミー栓に関する。
【背景技術】
【０００２】
個室防水形式の防水コネクタでは、電線の端末に端子金具とともにゴム栓が固着され、端子金具をハウジングに形成されたキャビティに収容することに伴い、ゴム栓をキャビティの入口に嵌着することでシールを取る。一方、キャビティのうちには端子金具が収容されないキャビティもあり、このようなキャビティについては、別途準備されたゴム製のダミー栓を嵌着してシールを取るようになっている。この種のダミー栓は一般に、キャビティへの挿入力、保持力（キャビティからの抜け難さ）、さらには成形時の型抜き等を勘案して、栓本体の外周面に波形断面をなす３条の環形のリップが形成された形状となっている。
【０００３】
ところでこのようなダミー栓を適用した場合、例えば雌雄のコネクタを嵌合するに当たって両コネクタ間の密閉空間が圧縮されたり、あるいは使用中では密閉空間内の空気が熱膨張することに伴って内部圧力が上昇し、保持力に抗してダミー栓がキャビティから外れるおそれがあった。そのため従来では、特許文献１に記載されているように、ダミー栓内に、ダミー栓を拡径変形するように助勢する補助ばね部材を埋設し、保持力を高めたものが提案されている。
【特許文献１】特許第３１８００２６号公報
【発明の開示】
【発明が解決しようとする課題】
【０００４】
しかるに上記従来のものでは、ダミー栓と補助ばね部材との２部品が必要であることから、コストが高くつくという問題があった。  
本発明は上記のような事情に基づいて完成されたものであって、その目的は、保持力を高めしかも安価に製造可能なダミー栓を提供するところにある。
【課題を解決するための手段】
【０００５】
上記の目的を達成するための手段として、請求項１の発明は、防水コネクタのハウジングに形成されたキャビティのうちの端子金具が収容されないキャビティ内に挿入されて、そのキャビティを水密にシールするために用いる弾性材料からなるダミー栓であって、栓本体の外周面には前記キャビティの内周面に密着可能な環形のリップが形成され、このリップの頂面が自然状態においてほぼ平面状をなすように形成されるとともに、このリップにおける前記キャビティの外方を向いた側面が急勾配の切り立った面に形成されている構成としたところに特徴を有する。
【０００６】
請求項２の発明は、請求項１に記載のものにおいて、前記平面状の頂面と前記切り立った側面とを設けた一対の前記リップが、軸線方向における対称形状で設けられているところに特徴を有する。  
請求項３の発明は、請求項２に記載のものにおいて、前記栓本体の外周面には、幅広の平面状をなす頂面を有する突条が形成され、この頂面における幅方向の中央部に、底が鋭角をなす溝が切られることで、前記一対のリップが形成されているところに特徴を有する。
【発明の効果】
【０００７】
＜請求項１の発明＞
ダミー栓がキャビティ内に挿入された場合に、リップの頂面における切り立った面側の端縁によって、いわゆるエッジが形成された状態となる。そのため内圧が上昇した場合には、リップのエッジがキャビティの内周面に引っ掛かるように機能して、ダミー栓がキャビティの外に抜け出ることが防止され、すなわち保持力が高められる。しかも、ダミー栓自体の形状を変えるだけで補助部材は不要であるから、安価に製造することができる。
【０００８】
＜請求項２の発明＞
ダミー栓はキャビティ内に前後いずれの向きで挿入されても、いずれか一方のエッジが利いて抜け止めを図ることができる。ダミー栓の向きを気にすることなく挿入作業ができ、作業性に優れたものとなる。  
＜請求項３の発明＞
突条の幅広の頂面に鋭角の溝を入れるといった簡素な形状により、溝を挟んだ両側に、切り立った面、すなわちエッジを対向させた状態で一対のリップが対称姿勢で形成される。
【発明を実施するための最良の形態】
【０００９】
＜実施形態＞
以下、本発明の一実施形態を図１ないし図３によって説明する。  
図１において、コネクタハウジング１０には、端子金具（図示せず）が挿入される複数のキャビティ１１が形成されており、各キャビティ１１の入口１２は断面円形に形成されているとともに、入口１２の口縁には、面取りされて誘い込み面１３が形成されている。  
上記のキャビティ１１のうちの端子金具が挿入されないキャビティ１１の入口１２には、ダミー栓２０が挿入されるようになっている。
【００１０】
このダミー栓２０は、含油シリコン等のゴム材を素材とし、成形型内での射出成形によって形成されている。このダミー栓２０は大まかには、栓本体２１の外周面に環形のリップ２４，３０が形成された形状であり、軸線方向における対称形状となっている。  
詳細には、栓本体２１は、軸線方向の中央部の広範囲にわたって大径部２２を備えた段付きの円柱形に形成されており、この栓本体２１の大径部２２の外周面における軸線方向の中央部と両端部とに、それぞれリップ２４，３０が間隔を開けて形成されている。各リップ２４，３０の位置の外径寸法Ｄは、上記したキャビティ１１の入口１２の内径寸法ｄより所定寸法大きく設定されている。
【００１１】
両端のリップ２４は、頂上の両側が緩斜面２５となった、いわゆるなだらかな山形断面に形成されている。  
一方、中央部では、元々は、幅広の平面状をなす頂面２７Ａと、両側に緩斜面２７Ｂとを有する突条２７が形成されており、この突条２７の頂面２７Ａにおける幅方向の中央部に、底が鋭角をなす溝２８が切られることにより、溝２８を挟んだ両側に一対の掛止リップ３０（本発明のリップに相当）が形成されている。なお、溝２８の底には丸みが付けられている。
【００１２】
上記により両掛止リップ３０は、その頂面３１が所定幅にわたり自然状態において平面状をなすように形成されるとともに、対向した側面が急勾配の切り立った面３２に、反対側の側面が緩やか傾斜面３３に形成されている。  
なお、このダミー栓２０の成形型におけるパーティングラインＰＬは、図２（Ｂ）に示すように、一端側のリップ２４と、その隣の掛止リップ３０との間の谷の部分３５に設定されている。
【００１３】
上記のような構造になるダミー栓２０が、図１の矢線に示すように、対応するキャビティ１１の入口１２に挿入される。ダミー栓２０は、各リップ２４，３０の頂上部分を弾縮しつつ挿入される。ダミー栓２０には基本的には４条のリップ２４，３０が形成されているのであるから、キャビティ１１の入口１２の内周面との摺接面積はそれほど大きくはなく、したがって比較的小さい力でも挿入できる。
【００１４】
図３に示すように、ダミー栓２０がキャビティ１１の入口１２内に正規に挿入されると、両端のリップ２４では、尖った頂上が弾発力によりキャビティ１１の入口１２の内周面に対して全周にわたって食い込むように密着し、シールが取られ、また摩擦抵抗により移動を規制する、いわゆる保持力が得られる。  
一方、掛止リップ３０では、平面状の頂面３１が、同じく弾発力によりキャビティ１１の入口１２の内周面に対して全周にわたって密着し、シールが取られる。それとともに、頂面３１における切り立った面３２側の端縁によって、いわゆるエッジ４０が形成された状態となる。  
そのため、図３の白抜きの矢線に示すように、内圧が上昇した場合には、両端のリップ２４による摩擦抵抗に加え、特に奥側（同図の右側）の掛止リップ３０のエッジ４０がキャビティ１１の入口１２の内周面に引っ掛かるように機能し、ダミー栓２０がキャビティ１１の外に抜け出ることが防止される。
【００１５】
このように本実施形態のダミー栓２０によれば、キャビティ１１の入口１２の内周面に引っ掛かるエッジ４０を備えた掛止リップ３０を設けた構造としたから、キャビティ１１内への挿入力の増加は最小限に抑えながらも、ダミー栓２０がキャビティ１１の外に抜け出ることが強固に阻止され、すなわち高い保持力を得ることができる。しかも、ダミー栓２０自体の形状を変えるだけで補助部材は不要であるから、安価に製造することができる。
【００１６】
掛止リップ３０は、向きが前後逆、すなわちエッジ４０が利く方が前後逆となった一対が設けられているから、ダミー栓２０をキャビティ１１の入口１２に挿入する場合に前後の向きをいちいち気にする必要がなく、ダミー栓２０の挿入作業を能率良く行うことができる。また、この一対の掛止リップ３０は、元々は幅広の平面状をなす頂面２７Ａを有する突条２７に対して鋭角の溝２８を入れるといった簡素な形状によって形成でき、成形型の形状等を簡単に留めることが可能となる。
【００１７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、掛止リップを軸線方向の中央部に設けたが、軸線方向の端部等、その設ける位置は任意である。  
（２）一対の掛止リップを対称形状で設ける場合、切り立った面が反対側を向いた背中合わせの姿勢で設けてもよい。  
（３）掛止リップは必ずしも一対を対称姿勢で設ける必要はなく、ダミー栓を挿入する向きさえ定めれば、頂面におけるキャビティの外方を向いた端部側にエッジが形成される形状のものを少なくとも１条設ければよい。
【図面の簡単な説明】
【００１８】
【図１】本発明の一実施形態のダミー栓をキャビティに挿入する前の一部切欠側面図
【図２】（Ａ）はダミー栓の正面図、（Ｂ）はその一部切欠側面図
【図３】ダミー栓がキャビティ内に挿入された状態の一部切欠側面図
【符号の説明】
【００１９】
１０…コネクタハウジング
１１…キャビティ
１２…入口
２０…ダミー栓
２１…栓本体
２４…リップ
２７…突条
２７Ａ…（突条２７の）頂面
２８…溝
３０…掛止リップ（リップ）
３１…（掛止リップ３０）頂面
３２…切り立った面
４０…エッジ
【図１】
2005294147.tif 000003
【図２】
2005294147.tif 000004
【図３】
2005294147.tif 000005